(57)【要約】      （修正有）【課題】生産が容易で低コスト化の図られた、開封刃を有するオーバーキャップ付き容器を提供する。【解決手段】口部がシートによって密封されてなる容器本体と、口部に固定される周壁2bを有しその内側に設けた操作片2eの開封刃によってシートを押し切り可能なオーバーキャップ2とを備え、キャップ2は、シートの上側に配置される天壁2cに、操作片2eを配置するための窪み2c1を有し、窪み2c1の底部2c1(b)に操作片2eよりも大きな開口部Aを形成すると共に、当該窪み2c1を形作る側壁2c1(s)の間に橋脚部材2c2を掛け渡し、橋脚部材2c2の側端部2c2(a)をそれぞれ、側端部2c2(a)に相対する側壁2c1(s)に連結すると共に、橋脚部材2c2に操作片2eを、前記窪み内に配置された状態で連結することで、操作片2eを橋脚部材2c2の側端部2c2(a)を基点に回動可能に支持してなる。【選択図】図１
2010222051.tif 000002
【特許請求の範囲】
【請求項１】
内容物を収納する空間を有し当該空間に通じる口部がシートによって密封されてなる容器本体と、この容器本体の口部に固定される周壁を有しその内側に設けた操作片の開封刃によってシートを押し切り可能なオーバーキャップとを備え、
当該オーバーキャップは、シートの上側に配置される天壁に、前記操作片を配置するための窪みを有し、
当該窪みの底部に前記操作片よりも大きな開口部を形成すると共に、当該窪みを形作る側壁の間に上下方向に延在する平板状に形成された橋脚部材を掛け渡し、
更に、この橋脚部材の側端部をそれぞれ、当該側端部に相対する前記側壁に連結すると共に、
当該橋脚部材に前記操作片を、前記窪み内に配置された状態で連結することで、当該操作片を橋脚部材の側端部を基点に回動可能に支持してなることを特徴とする、開封刃を有するオーバーキャップ付き容器。
【請求項２】
請求項１において、前記橋脚部材を、凸形状の平板に形成し、その上方に突出する部分を前記操作片の下端に連結すると共に、左右横方向に突出する部分をそれぞれ前記側端部として前記側壁に連結させたことを特徴とする、開封刃を有するオーバーキャップ付き容器。
【請求項３】
請求項１乃至２に記載のオーバーキャップ付き容器に、飲食品を充填密封してなる飲食品包装体。
【発明の詳細な説明】
【技術分野】
【０００１】
本発明は、シートによって密封されてなる容器本体からストロー等の別部材を用いることなく、内容物を取り出すことができる、開封刃を有するオーバーキャップ付き容器及び当該オーバーキャップ付き容器を利用した飲食品包装体に関するものである。
【背景技術】
【０００２】
従来の開封刃を有するオーバーキャップ付き容器には、例えば、シートの上側に配置されるオーバーキャップの天壁に、開封刃を有する操作片を収納可能な窪みを有し、この窪みの底部に開口部が形成されていると共に、当該開口部の一部を形作る窪みの底部縁に沿って連結部位が形成され、この連結部位に前記操作片を連結することで、当該連結部位を基点に前記操作片を回動可能に支持してなるものがある（例えば、特許文献１参照）。
【先行技術文献】
【特許文献】
【０００３】
【特許文献１】特開２００７−２４６１３０号公報
【発明の概要】
【発明が解決しようとする課題】
【０００４】
しかしながら、従来のオーバーキャップを金型成形する場合、オーバーキャップの上部外観を形作るための上型と、オーバーキャップの下部外観を形作るための下型と、窪みに繋がる連結部位と共に操作片の一部を形作るための中型との、少なくとも、３つの金型が必要となる。このため、成形時の工程が煩雑になり、また、生産コストに関しても改善の余地があった。
【０００５】
本発明の目的とするところは、生産が容易で低コスト化の図られた、開封刃を有する新規なオーバーキャップ付き容器を提供することにある。また、本発明は、このようなオーバーキャップ付き容器を利用した飲食品包装体を提供することを目的とする。
【課題を解決するための手段】
【０００６】
本発明である、開封刃を有するオーバーキャップ付き容器は、内容物を収納する空間を有し当該空間に通じる口部がシートによって密封されてなる容器本体と、この容器本体の口部に固定される周壁を有しその内側に設けた操作片の開封刃によってシートを押し切り可能なオーバーキャップとを備え、
当該オーバーキャップは、シートの上側に配置される天壁に、前記操作片を配置するための窪みを有し、
当該窪みの底部に前記操作片よりも大きな開口部を形成すると共に、当該窪みを形作る側壁の間に上下方向に延在する平板状に形成された橋脚部材を掛け渡し、更に、この橋脚部材の側端部をそれぞれ、当該側端部に相対する前記側壁に連結すると共に、
当該橋脚部材に前記操作片を、前記窪み内に配置された状態で連結することで、当該操作片を橋脚部材の側端部を基点に回動可能に支持してなることを特徴とするものである。
【０００７】
前記橋脚部材としては、様々な形状のものを採用することができる。このため、例えば、当該橋脚部材を、凸形状の平板に形成し、その上方に突出する部分を前記操作片の下端に連結すると共に、左右横方向に突出する部分をそれぞれ前記側端部として前記側壁に連結させることができる。
【０００８】
また、本発明には、上記オーバーキャップ付き容器に、飲食品を充填密封してなる飲食品包装体が挙げられる。
【発明の効果】
【０００９】
本発明によれば、窪みの底部に形成した開口部が操作片よりも大きく、この操作片が前記窪み内（開口部）に配置されるため、例えば、オーバーキャップの下部外観を形作るための下型に、窪みの底部に形成される開口部を形作る突起を設けると共に、この突起に橋脚部材と操作片の一部を形作る形状を設ければ、オーバーキャップの上部外観を形作るための上型との２つの金型のみで、オーバーキャップを成形することができる。
【００１０】
このため、本発明によれば、成形時の作業工程が簡素化される。また、作業工程の簡素化と併せて、金型の一部が不要となることで、生産コストの抑制も図れる。従って、本発明によれば、生産が容易で低コスト化の図られた、開封刃を有する新規なオーバーキャップ付き容器を提供することができる。
【００１１】
また、本発明によれば、操作片の前端側を押し下げると、橋脚部材の側端部に捩れ変形を生じさせながら、当該操作片を開口部に向かって回動（傾倒）させることができる。即ち、操作片の前端側を押し下げれば、操作片の開封刃がシートを押し切ることで、容器本体を開封させることができる。
【００１２】
これに対し、操作片の押し下げを解除すれば、橋脚部材の側端部に生じた捩れが復元力となり、当該操作片を開口部から離間するように回動させることができる。即ち、操作片の押し下げを解除すれば、操作片は、押し下げ前の初期位置に復帰する。
【００１３】
従って、本発明によれば、捩れ変形で開封し、その復元力で操作片が初期位置に向かって復元するため、良好な操作性を得ることができる。
【図面の簡単な説明】
【００１４】
【図１】本発明の一形態である、オーバーキャップ付き飲料容器を模式的に示す平面図である。
【図２】同形態を模式的に一部断面で示す側面図である。
【図３】同形態に係る、オーバーキャップを模式的に示す上側斜視図である。
【図４】同形態に係る、オーバーキャップを模式的に示す下側斜視図である。
【図５】同形態に係る、橋脚部材の要部を示す図１のＸ−Ｘ断面図である。
【図６】同形態の開封状態を模式的に一部断面で示す側面図である。
【図７】同形態の注出状態を模式的に一部断面で示す側面図である。
【発明を実施するための形態】
【００１５】
以下、図面を参照して、本発明である、開封刃を有するオーバーキャップ付き容器を詳細に説明する。
【００１６】
図１，２はそれぞれ、本発明の一形態である、オーバーキャップ付き飲料容器（以下、「キャップ付き飲料容器」という）を模式的に示す平面図及び、同キャップ付き飲料容器を模式的に一部断面で示す側面図である。
【００１７】
また、図３，４はそれぞれ、同形態に係る、オーバーキャップを模式的に示す上側斜視図及び下側斜視図である。
【００１８】
更に、図５は、本形態に係る、橋脚部材の要部を示す図１のＸ−Ｘ断面図である。図６及び図７はそれぞれ、同形態の開封状態及び注出状態を模式的に一部断面で示す側面図である。なお、図７では、容器本体を一部省略して示す。
【００１９】
図２等に示す符号１は、ＰＳ（ポリスチレン）やＰＰ（ポリプロピレン）、及びＰＥＴ（ポリエチレンテレフタレート）などに代表される合成樹脂を射出成形や熱成形などの種々の成形方法にて成形してなる容器本体である。容器本体１は、筒状の胴部１ａと底部１ｂとを有し、その内側に、コーヒー等の内容物Ｃを収納する空間Ｒを形成する。また、容器本体１（胴部１ａ）の上端には、外方に突出するフランジ１ｃが設けられ、その内側に、空間Ｒに通じる口部１ｄが形成されている。口部１ｄは、フランジ１ｃに貼り付けたアルミ等の液密性に優れた薄肉のシートＳによって密封されている。これにより、容器本体１は、空間Ｒの内容物Ｃを液密状態に保持する。
【００２０】
符号２は、ＰＥＴやＰＰ（ポリプロピレン）に代表される合成樹脂を射出成形などの種々の成形方法にて成形してなるオーバーキャップである。オーバーキャップ２は、フランジ１ｃに対して液密状態に固定される嵌合筒２ａを有し、この嵌合筒２ａには、当該嵌合筒２ａの上端内側から起立したのち内側に折り返されてなる周壁２ｂが繋がる。周壁２ｂの折り返し側の下端部分には、シートＳの上側に配置される天壁２ｃが繋がる。
【００２１】
天壁２ｃは、後述の操作片２ｅを配置するための窪み２ｃ1を有する。窪み２ｃ1の底部２ｃ1(b)には、図１，２に示すように、操作片２ｅよりも大きな開口部Ａが形成されている。また、窪み２ｃ1を形作る側壁２ｃ1(s)の間には、橋脚部材２ｃ2が掛け渡されている。
【００２２】
橋脚部材２ｃ2は、その側端部２ｃ2(a)がそれぞれ、図５に示すように、当該側端部２ｃ2(a)に相対する側壁２ｃ1(s)に連結されている。また、橋脚部材２ｃ2には、図１に示すように、操作片２ｅの輪郭が開口部Ａで縁取られるように、当該操作片２ｅが連結されており、当該操作片２ｅが窪み２ｃ1内に配置されている。これにより、開口部Ａは、図２に示すように、橋脚部材２ｃ2よりも前方にある前側開口部Ａ1と、橋脚部材２ｃ2よりも後方にある後側開口部Ａ2とに区画される。
【００２３】
操作片２ｅの前端２ｅ1側を押し下げれば、図５の下向き矢印に示すように、橋脚部材２ｃ2の側端部２ｃ2(a)が捩れることで、図６に示すように、当該操作片２ｅが橋脚部材２ｃ2の側端部２ｃ2(a)を基点に前側開口部Ａ1に向かって回動（傾倒）するが、その押し下げ（操作片２ｅの後端２ｅ2の引き上げ）を解除すれば、図５の上向き矢印に示すように、橋脚部材２ｃ2の側端部２ｃ2(a)に生じた捩れが復元力となり、当該操作片２ｅが前側開口部Ａ1から離間するように回動し、図７に示すように、押し下げ前の位置に復帰する。
【００２４】
また、操作片２ｅの前端２ｅ1には、当該操作片２ｅが前側開口部Ａ1に向かって回動することで、シートＳを突き破って口部１ｄを空間Ｒに通じさせるための開封刃２ｅ3が設けられている。
【００２５】
これにより、操作片２ｅを前側開口部Ａ1に向かって回動させれば、図６に示すように、シートＳが突き破られることで空間Ｒが外界に開放される。
【００２６】
更に、操作片２ｅの前端２ｅ1側には、前側開口部Ａ1に整列して空間Ｒに通じる開口部Ａ3が形成されている。
【００２７】
これにより、操作片２ｅでシートＳを突き破った後、この操作片２ｅを前側開口部Ａ1から離間するように復帰させれば、図７に示すように、キャップ付き飲料容器全体を傾けるだけで、操作片２ｅの開口部Ａ3及び前端２ｅ1と周壁２ｂとの間などを通して内容物Ｃを取り出すことができる。
【００２８】
なお、本形態では、操作片２ｅの側壁にそれぞれ、図１に示すように、凹部２ｅ4が設けられている。加えて、窪み２ｃ1の側壁２ｃ1(s)にはそれぞれ、凹部２ｅ4に対向する位置に、操作片２ｅの凹部２ｅ4と係合するストッパ２ｆが設けられている。
【００２９】
ストッパ２ｆは、操作片２ｅの前端２ｅ1が押し下げられる前、図１，２に示すように、凹部２ｅ4と係合された状態にあるが、操作片２ｅが押し下げられると、凹部２ｅ4を乗り越えることで、操作片２ｅを、図６に示すように傾倒させることができる。
【００３０】
これに対し、操作片２ｅの押し下げを解除すると、操作片２ｅは、橋脚部材２ｃ2の復元力で押し下げ前の位置に復帰しようとし、操作片２ｅの側壁側に形成された裏面（最下面）２ｅ5がストッパ２ｆの上端２ｆ1に接触する。この状態から、手指などで操作片を操作前の位置に戻すことによって、ストッパ２ｆが凹部２ｅ4と再び係合し、内容物の注出時における操作片２ｅの揺動を防止する。
【００３１】
本発明によれば、窪み２ｃの底部２ｃ1(b)に形成した開口部Ａ（Ａ1，Ａ2）が操作片２ｅよりも大きく、この操作片２ｅの輪郭が開口部Ａ（Ａ1，Ａ2）で縁取られるように、当該操作片２ｅが開口部Ａ（Ａ1，Ａ2）の上方に配置されるため、例えば、オーバーキャップ２の下部外観を形作るための下型に、窪み２ｃの底部２ｃ1(b)に形成される開口部Ａ（Ａ1，Ａ2）を形作る突起を設けると共に、この突起に橋脚部材２ｃ2と操作片２ｅの一部を形作る形状を設ければ、オーバーキャップ２の上部外観を形作るための上型との２つの金型のみで、オーバーキャップ２を成形することができる。
【００３２】
このため、成形時の作業工程が簡素化される。また、作業工程の簡素化と併せて、金型の一部が不要となることで、生産コストの抑制も図れる。従って、本発明によれば、生産が容易で低コスト化の図られた、開封刃を有する新規なオーバーキャップ付き容器を提供することができる。
【００３３】
加えて、従来技術では、３つの金型が必要となることから、周壁２ｂのうち、操作片２ｅの後端２ｅ2側を切り欠くように形成していたが、本発明によれば、本形態の如く、周壁２ｂを全周に亘って環状に形成することができる。これにより、内容物が周壁から外方に予期せず流出してしまうことを効果的に抑制できる。
【００３４】
また、本発明によれば、操作片２ｅの前端２ｅ1側を押し下げると、橋脚部材２ｃ2の側端部２ｃ2(a)に捩れ変形を生じさせながら、当該操作片２ｅを前側開口部Ａ1に向かって回動（傾倒）させることができる。即ち、操作片２ｅの前端２ｅ1側を押し下げれば、図６に示すように、操作片２ｅの開封刃２ｅ3がシートＳを押し切ることで、容器本体１を開封させることができる。
【００３５】
これに対し、操作片２ｅの押し下げを解除すれば、橋脚部材２ｃ2の側端部２ｃ2(a)に生じた捩れが復元力となり、当該操作片２ｅを前側開口部Ａ1部から離間するように回動させることができる。即ち、操作片２ｅの押し下げを解除すれば、操作片２ｅは、図７に示すように、押し下げ前の初期位置に復帰する。
【００３６】
従って、本発明によれば、捩れ変形で開封し、その復元力で操作片２ｅが初期位置に向かって復元するため、良好な操作性を得ることができる。
【００３７】
また、本発明に従う橋脚部材２ｃ2は、その側端部２ｃ2(a)がそれぞれ、操作片２ｅの回動（傾倒）に伴う捩り変形に対して復元力を発生させることができるものであれば、様々な形状のものを採用することができるが、本形態では、型抜き作業が容易であって、しかも、より効率的な復元力を得られるように、上下方向に延在する平板（プレート）状の部位としている。
【００３８】
加えて、本形態では、橋脚部材２ｃ2を、図４及び図５等（特に図５）に示すように、凸形状の平板に形成し、その上方に突出する部分２ｃ2(b)を操作片２ｅの下端に連結すると共に、左右横方向に突出する部分をそれぞれ側端部２ｃ2(a)として側壁２ｃ1(s)に連結させる。本形態の如く構成すれば、側壁２ｃ1(s)に対する側端部２ｃ2(a)の上下方向（高さ方向）の連結代が小さくなり、操作片２ｅを小さな力で回転させることができる。
【００３９】
上述したところは、本発明の好適な形態をしたものであるが、特許請求の範囲において、種々の変更を加えることができる。例えば、本形態では、周壁２ｂを環状に形成しているが、従来の如く、操作片２ｅの後端２ｅ2側を切り欠くこともできる。
【００４０】
また、本形態では、操作片２ｅを破断可能な連結部２ｇを介して側壁２ｃ1(s)に補助的に連結することで、搬送時等における操作片２ｅの予期せぬ回動を防止しているが、連結部２ｇの個数やレイアウトは任意である。また、本発明に従えば、連結部２ｇを省略することも可能である。また、開封後の容器を傾けて内容物を注出するだけでなく、ストローなどを開口部に差し込んで内容物を注出することも可能である。
【産業上の利用可能性】
【００４１】
本発明は、液体の内容物が収納される容器に限定されるものではなく、半液状、流動状、固液混合状などの内容物を収納する容器としても適用できる。また、内容物としては、飲食品が最も好適である。
【符号の説明】
【００４２】
１    容器本体
1a    胴部
1b    底部
1c    フランジ
1d    口部
２    オーバーキャップ
2a    嵌合筒
2b    周壁
2c    天壁
2c1   窪み
2c1(b) 窪み底部
2c1(s) 窪み側壁
2c2   橋脚部材
2c2(a) 橋脚部材側端部
2c2(b) 橋脚部材の上側突出部分
2e   操作片
2e1   操作片前端
2e2   操作片後端
2e3   開封刃
2e4   操作片側面側凹部
2e5   操作片裏面（最下面）
2f    ストッパ
2f1   ストッパ上端
Ａ    開口部
Ａ1   前側開口部
Ａ2   後側開口部
Ｓ    シール
【図１】
2010222051.tif 000003
【図２】
2010222051.tif 000004
【図３】
2010222051.tif 000005
【図４】
2010222051.tif 000006
【図５】
2010222051.tif 000007
【図６】
2010222051.tif 000008
【図７】
2010222051.tif 000009